(57)【要約】【課題】本の各シートが木質の板で形成された嵌め絵遊びが可能な絵本を提供することにより、幼児の遊びと知育の環境を豊かにする。【解決手段】３枚以上の積層板を備えている。各積層板は芯板と模様板とを張り合わせた構造をしており、模様板には１個または複数個の切抜き窓が設けられている。模様板から切り抜かれた板片は、それぞれを嵌合板片とするか、更にこれを複数枚に切断して嵌合板片とする。模様板にはその模様板に嵌合される嵌合板片を含めて全体として統一された絵模様を表現する。積層板相互は、隣接するものを一辺において折畳み開閉可能に連結して本にする。閉じたときに両側から隣接する積層板で挟まれる中間の積層板は、その両面に模様板を貼着したものを用いる。【選択図】      図１
2005230023.tif 000002
【特許請求の範囲】
【請求項１】
隣接する辺相互を折畳み開閉可能に連結した３枚以上の積層板(2)からなり、各積層板は芯板(5)とこの芯板に貼着された切抜き窓(3)を有する模様板(1)とを備え、閉じたときに隣接する２枚の積層板の間に挟み込まれる中間の積層板(2b)はその両面に模様板(1)を備え、閉じたときに表紙及び裏表紙となる積層板(1a)は少なくともその内側面に模様板(1)を備え、各模様板(1)はその切抜き窓(3)に取り外し可能に嵌め込まれる各模様板毎に複数枚の嵌合板片(4)を備え、各切抜き窓(3)は嵌め込まれた嵌合板片(4)を取外す際に指を挿入するための切欠(7)をその周縁の一部に備えていることを特徴とする、幼児用絵本。
【請求項２】
複数の嵌合板片(4)が第２の切抜き窓(6)を備えた大型板片(4a)とこの第２の切抜き窓に嵌合される小型板片(4b)とを備えた嵌合板片を含んでおり、前記第２の切抜き窓は前記切欠(7)を備えていないことを特徴とする、請求項１記載の幼児用絵本。
【請求項３】
大型板片(4a)は形状の異なる複数の第２の切抜き窓(6)を備え、各第２の切抜き窓に１個ずつ嵌合されるそれぞれの切抜き窓の形状と同形の小型板片(4b)を備えている、請求項２記載の幼児用絵本。
【請求項４】
隣接する少なくとも２枚の模様板(1)が、それぞれ直線状の底辺(10)とその底辺の両端に直角ないし直角に近い鋭角で連接する周縁部分(11)を備えた切抜き窓(3)及び嵌合板片(4)を備え、当該嵌合板片をその底辺を切抜き窓の底辺に沿わせた状態で立設状態で嵌合可能とした、請求項１記載の幼児用絵本。
【請求項５】
隣接する少なくとも２枚の模様板(1)が同一形状の複数の切抜き窓(3)と嵌合板片(4)とを備え、この複数の嵌合板片はそれぞれが異なる絵模様を備えていることを特徴とする、請求項１または４記載の幼児用絵本。
【発明の詳細な説明】
【０００１】
【発明の属する技術分野】
この発明は、幼児用の絵本に関するもので、本を構成する各シートが剛性を備えたボードないし木板で形成された嵌め絵遊びが可能な絵本に関するものである。
【０００２】
【従来の技術】
一般に幼児用絵本は、ある程度剛性を備えたボードを折畳み開閉可能に連結して、その見開き面に種々の絵模様を描いたものであり、シートを貫通する覗き窓のようなものを設けた絵本や、切起こし片を張り付けて、本を開いたときに切起こし片が立上がる構造にしたものなど幼児の興味を引き、かつ知育を促すための種々の工夫を凝らしたものが提供されている。
【０００３】
一方、ジグソーパズルで代表される嵌め絵玩具の簡単な幼児用のものは、特に知育玩具の分野で従来から広く知られており、例えば幾何学形状、動物や花の形状、地形などをボードに設けた凹所に嵌め込むことによって、形状や図形に対する認識を育てるようにしたものが広く普及している。
【０００４】
【発明が解決しようとする課題】
しかし従来の嵌め絵玩具は、ボードの片面のみを用いているから、一つの絵模様を表現できるのみで変化に乏しく、子供が遊びに飽きやすいという問題がある。一方、従来の絵本は、各見開きページ毎に変化のある絵模様を表わすことができるので、その点では子供の興味を引くことができるが、嵌め絵パズルや積み木のような遊びの要素が少なく、絵本に描かれている世界に子供が能動的に働きかけるということができない。
【０００５】
この発明は、従来知られていない新しい絵本を提供することにより、幼児の遊びと知育の環境をより豊かにすることを課題としており、ページ毎に異なる絵模様を表現できる絵本に子供の各種の働きかけが可能な多様な嵌め絵遊びの要素を付加し、更に自然の木の温もりのある絵本を提供しようとするものである。
【０００６】
【課題を解決するための手段】
この発明の絵本は、３枚以上の積層板２を備えている。各積層板２は芯板５と模様板１とを張り合わせた構造をしており、模様板１には１個または複数個の切抜き窓３が設けられている。模様板１は切抜き窓３を切り抜いた後、芯板５に接着される。模様板１から切り抜かれた板片は、それぞれを嵌合板片４とするか、更にこれを複数枚に切断して嵌合板片４とする。模様板１にはその模様板１に嵌合される嵌合板片４を含めて全体として統一された絵模様を表現する。
【０００７】
積層板２相互は、隣接するものを一辺において折畳み開閉可能に連結して本にする。このとき、すべての積層板を同一側の辺で連結してもよいし、屏風のように対向する辺を順次連結してもよい。閉じたときに両側から隣接する積層板で挟まれる中間の積層板２ｂは、その両面に模様板１を貼着したものを用いる。屏風のように互い違いの辺を連結したものは、中間の積層板２ｂを接着されていない２枚の芯板を備えたものとすることができる。積層板２を屏風のように連結したものは、両側から開くことができる本と見ることができるが、この場合に各積層板２の裏面側に模様板を設けなければ、片側のみから開く本と実質上同じであり、この場合の内側の積層板２ｂは、その厚さ中央で２枚に剥がすことができる１枚の積層板２ｂによって形成されていると見ることができる。
【０００８】
閉じたときに両端に位置する本の表紙及び裏表紙となる積層板２ａの外側の面にも模様板１を設けることは、もちろん可能である。閉じた状態で外側となる模様板の嵌合板片は、持ち運んだり本棚に入れたりする際に、他のものに引っかかって脱落し、紛失する危険がある。そのようなおそれがあるときは、嵌合板片４の裏面と切抜き窓の底面（芯板の表面によって形成される）の間に粘着テープや面ファスナーを設ける。
【０００９】
この面ファスナーなどを設ける構造は、嵌合板片４を単独では切抜き窓３に嵌合しない小さな板片に分割した場合などに、嵌合板片４を切抜き窓３に安定に保持するためにも用いることができる。
【００１０】
模様板１に設ける切抜き窓３や嵌合板片４は、種々の態様の嵌め絵遊びに対応させた構造とすることができる。これらの詳細については、以下の実施例を参照して更に説明する。
【００１１】
【発明の実施の形態】
図１ないし図４は、この発明の絵本の基本的な構造を示した断面図である。図１の第１実施例のものは、両面に模様板１を設けた４枚の積層板２を同一の側の辺で連結して本の構造としたもので、模様板１はすべて切抜き窓３を備えている。この切抜き窓は、それぞれ１個または複数個の嵌合板片４を備えている。図では構造をわかりやすくするため、嵌合板片４を切抜き窓３から分離した状態で図示してある。
【００１２】
図２は、図１と同様な構造であるが、表紙と裏表紙となる積層板２ａの外側の面には、切抜き窓が設けられておらず、従ってこの外側の面は嵌合板片を備えていない。
【００１３】
図３は、両面に模様板１を備えた４枚の積層板を屏風状に連結して、両側から開閉可能な本の構造としたものである。また、図４は、片面にのみ模様板１を備えた４枚の積層板を屏風状に連結して、片側（模様板を備えた側）のみから開く本の構造としたもので、この場合には、真ん中の２枚の積層板によって実質的には内側の１枚の積層板が形成されることになる。すなわち、本願で言う内側の積層板は、本としての内側の板という意味であって、必ずしも物理的に１枚の板であることを要しない。
【００１４】
各積層板２は、好ましくは木質の板によって形成される。木板が最も適しているが、木片を板状に固めたボードを用いることができ、特に芯板５は安価な材料が好ましい。模様板１は薄い合板が最も適している。
【００１５】
芯板５と模様板１とは、模様板１に切抜き窓３を開口した後、接着剤によって張り合わされる。このとき、嵌合板片４を保持する面ファスナーなどを設けるときは、芯板５と模様板１との間に面ファスナーの要素となるシートを挟み込んだ状態で接着することもできる。積層板２の辺相互の連結は、布や合成樹脂フィルムなどの可撓性シートを用いて、このシートの可撓性を利用して開閉できるようにする構造が最も簡単である。この部分の構造は、従来の製本技術で用いられる構造を採用することができるが、強度の高いシート材を用いて製本することが必要である。
【００１６】
模様板１に形成する切抜き窓３と、そこに嵌め込む嵌合板片４の種々の例を図５ないし図８に示す。図５に示した構造は、１個の切抜き窓３から切り抜いた板片を複数枚に分割して嵌合板片４としたもので、複数の嵌合板片４を所定の配置にして切抜き窓３に嵌め込んだときに、全体として統一された絵模様が表現されるようにしたもので、一般のジグソーパズルと同じ考え方のものである。切抜き窓３の周縁の一箇所には、嵌め込んだ嵌合板片４を取外すときに指を差し込むための切欠７が設けられている。
【００１７】
図６の構造は、切抜き窓３の形状と同一形状の大型板片４ａに形状の異なる複数の第２の切抜き窓６を設けたものであり、この複数の第２の切抜き窓６にちょうど嵌合する形状の小型板片４ｂを備えているものである。模様板１の切抜き窓３の周縁一箇所には、指を差込むための切欠７が設けられているが第２の切抜き窓６には、このような切欠が設けられていない。その理由は、大型板片４ａを取外せば、小型板片４ｂは容易に押し出すことができることと、形状の同一性を判断して嵌め込む窓を探す種類の嵌め絵では、窓に切欠が設けられていると、形状の一致が判断できなくなるためである。
【００１８】
図７の構造は、建物や人形、動物などをそれぞれに描いた嵌合板片４と、これを嵌合する切抜き窓３の形状として底辺１０が直線で、これに続く直角または直角に近い鋭角の周縁部分１１が存在する形状とすることによって、切抜き窓３から外した嵌合板片４をその底辺部分を合せた状態で立設保持することを可能にした構造である。
【００１９】
このような嵌め絵の構造では、例えば本の見開きページに簡単な地図を描いておき、その地図上に人形や建物を立設させ、他の面から取外した自動車の形状をした嵌合板片４を道路上に配置するなどの遊びをすることができる。
【００２０】
図８は本の見開き面に同一形状の複数の切抜き窓３を設けておき、同一形状の嵌合板片４に建物や人、動物などの異なった絵模様を記載して、嵌合板片の嵌め込み位置の変更によって異なる絵模様が表現できるようにしたものである。これは、例えば町を表わす地図上で店舗や公園や家などの配置をいろいろと変えて遊ぶのに用いる。
【００２１】
このような種々な態様の嵌め絵を、３枚以上の積層板を本の形態に閉じることによって形成される複数の面に、その絵模様の変化と共に表現すれば、１冊の絵本の中でその各ページに表現された絵の楽しさを鑑賞できると共に、種々の形態での嵌め絵遊びも可能であり、更にその嵌め込み態様を変えることによって、絵模様の変化も楽しむことができる。そしてこの本を木板で製作すれば、木の暖かみも同時に伝えることができ、堅牢で壊れる危険も少ないから、従来の玩具や絵本にない興味と知育効果が得られる。
【図面の簡単な説明】
【図１】第１構造例を示す断面図
【図２】第２構造例を示す断面図
【図３】第３構造例を示す断面図
【図４】第４構造例を示す断面図
【図５】嵌め絵の第１態様を示す斜視図
【図６】嵌め絵の第２態様を示す斜視図
【図７】嵌めの第３態様を示す斜視図
【図８】嵌め絵の第４態様を示す斜視図
【符号の説明】
１  模様板
２  積層板
３  切抜き窓
４  嵌合板片
４ａ  大型板片
４ｂ  小型板片
５  芯板
６  切抜き窓
７  切欠
10  底辺
【図１】
2005230023.tif 000003
【図２】
2005230023.tif 000004
【図３】
2005230023.tif 000005
【図４】
2005230023.tif 000006
【図５】
2005230023.tif 000007
【図６】
2005230023.tif 000008
【図７】
2005230023.tif 000009
【図８】
2005230023.tif 000010